(57)【特許請求の範囲】
【請求項１】
地中に埋設され陰極防食が施されている防食被覆鋼材の防食状況を監視する電極において、
防食被覆鋼材の防食被覆重なり部の隙間の大きさをシミュレートし、電気抵抗値が前記隙間の電気抵抗値と同一になるように穴の径と長さを調整した穴を有する有底筒状部材であって、該有底筒状部材の前記穴の内部に電流の向きと電流密度及び防食電位を測定する回路に接続される電極及び参照電極を配設してなることを特徴とする防食監視用電極。
【請求項２】
前記有底筒状部材に設けた穴の内部に配設された電極は、防食被覆鋼材と同一材質からなることと、
前記有底筒状部材の穴は、防食被覆鋼材の防食被覆重なり部の隙間の大きさに応じて穴径及び穴の長さを調整していることと、
前記有底筒状部材は、前記穴に連通する拡径された第２の穴を有し、その第２の穴の底部又はその近傍に前記電極及び参照電極を配設してなることを特徴とする請求項１記載の防食監視用電極。
【請求項３】
地中に埋設され陰極防食が施されている防食被覆鋼材の防食状況を監視する方法において、
防食被覆鋼材の防食被覆重なり部の隙間の大きさをシミュレートし、電気抵抗値が前記隙間の電気抵抗値と同一になるように穴の径と長さを調整した穴を有する有底筒状部材であって、該有底筒状部材の前記穴の内部に電極及び参照電極を配設した防食監視用電極を前記防食被覆鋼材の近傍に埋設し、
前記電極に通じる電流の向きと電流密度及び前記電極と参照電極との間の電位差を測定することにより、前記防食被覆鋼材の防食状況を監視することを特徴とする防食監視方法。
【請求項４】
前記防食監視用電極は、前記穴が上向きとなるように設置して、前記穴の内部にあらかじめ防食被覆鋼材の設置場所近傍の地下水あるいは土壌の比抵抗と同等の電解液または電解液をゲル化もしくはゾル化したものを入れてなることを特徴とする請求項３記載の防食監視方法。
【請求項５】
非測定時には前記電極を防食被覆鋼材に短絡させておき、測定時には前記短絡状態を開放状態にして、前記開放状態になった瞬間における前記電極と参照電極との間の電位差を測定することを特徴とする請求項３または請求項４記載の防食監視方法。
【発明の詳細な説明】
【０００１】
【発明の属する技術分野】
本発明は、地中に埋設され陰極防食の施されている防食被覆鋼材の防食被覆重なり部の隙間における防食状態を監視する防食監視用電極及び方法に関するものである。
【０００２】
【従来の技術】
電気防食としては、金属構造物に陰極（カソード）電流を通じて防食する陰極防食が一般的であり、この陰極防食には、外部電源法（外電法ともいう）と、犠牲陽極法（流電陽極法ともいう）の２方式がある。
図５は陰極防食の２方式を説明する図であり、同図の（ａ）は外部電極法を、（ｂ）は犠牲陽極法を説明する図である。
【０００３】
外部電極法は、図５の（ａ）のように、例えば商用電源を整流して直流電源３ａとし、不溶性の電極（図示の対極２ａ）を正極として、被防食体１ａを負極（カソード）として、正極から負極に通電する。この場合、通電する電流値が適当な値となるように出力電圧値を調整する。
犠牲陽極法は、図５の（ｂ）のように、例えば亜鉛、アルミニウム、マグネシウム合金等の犠牲陽極２ｂの溶解に伴って発生する電流を被防食体１ａに通電する。この場合、出力調整用の可変抵抗器によりなる出力調整器３ｂの抵抗値を調整して通電する電流値を調整する。
【０００４】
図６は従来の防食電位測定法を説明する図である。図６において、１は地中に埋設された防食被覆鋼材、２は対極又は犠牲陽極、３は直流電源又は出力調整器、４は疑似部材、５は参照電極、７は常時閉で、動作時に開となるスイッチ、８は電流計、９は電圧計、１３は鋼材露出部である。
従来、地中に埋設され電気防食が施されている被防食体（この例では防食被覆鋼材１）の防食管理法として、地中に埋設されている被防食体と地表面に配設されている参照電極５との間の電位差を計測する防食電位を用いていた。
【０００５】
防食電位計測法としては、ＯＮ電位あるいはＯＦＦ電位による検出方法が一般的である。この方法は、防食被覆鋼材１と同一材質（この場合鋼）よりなる小片の疑似部材４を地中の防食被覆鋼材１の近傍に埋め、通常状態（非測定時）においては、この疑似部材４を、常時閉のスイッチ７と電流計８を介して防食被覆鋼材１に短絡させておき、測定時に、スイッチ７を開として短絡状態を切り、この瞬間（１００ｍｓ以内）における疑似部材４と参照電極５との間の電位差を測定し、これを防食被覆鋼材１の防食電位とするものである。
なお、参照電極５の電位をできるだけ防食被覆鋼材１が埋設された近傍の電位となるようにして、正確に防食電位を計測する発明として特開平６−２６５５１１号公報に示されたものがある。
【０００６】
図７は防食被覆鋼材に発生する欠陥の種類を説明する図である。同図の（ａ）は、鋼材１４の防食被覆１５の一部に破損した箇所があり、その破損した箇所の防食被覆１５が完全にとれた状態の鋼材露出部１３が存在する場合であり、（ｂ）は防食被覆の重なり部における隙間、例えば、防食被覆鋼管の溶接継手部に施された熱収縮チューブの端がめくれて隙間１６ができ、この隙間１６から地中の水が流入し、内部が腐食するような場合である。
防食被覆鋼材の欠陥が、図７の（ａ）に示した鋼材露出部１３の場合には、図６に示したようにこの鋼材露出部１３に防食電流が流入するので、防食効果がある。従って、この鋼材露出部１３がある欠陥に対しては、従来の防食電位測定法は、防食被覆鋼材の防食管理法としても、有効な方法と考えられている。
【０００７】
【発明が解決しようとする課題】
しかしながら、被防食体が防食被覆鋼材であり、さらにこの防食被覆鋼材の欠陥として、図７の（ｂ）に示したような防食被覆の隙間（一般に０．５〜２０ｍｍ程度の隙間）があると多くの場合、地下水が流入する。地下水があると電気的導電ができるが、この隙間の大小により、隙間の電気抵抗値が大きく変わる。すなわち、隙間が小さい場合には、電気抵抗が大きいので、防食電流はこの隙間にはあまり流入しない。さらに地中には、電気鉄道を起点とする迷走電流が存在し防食被覆の隙間から、この迷走電流が流出する。このため、隙間に流入する防食電流は少ないうえ、迷走電流が流出するので、隙間内部の鋼が腐食することが多い。
しかし、これまで、この隙間内部の鋼の腐食状態を外部より計測する方法はなかった。言い換えると、従来の防食管理技術は、図７の（ａ）の鋼材露出部１３のような表面の防食被覆１５が完全にオープンとなっている欠陥だけにしか適用できなかった。従って、図７の（ｂ）に例示するような、防食重なり部の防食被覆１５が一部剥離し、しかもその剥離した箇所の防食被覆１５間の隙間１６を通じて鋼材面１７が外部に連通しているような欠陥に対しては防食電位を測定することさえ不可能であった。
【０００８】
本発明は、前記のような問題点を解決するためになされたものであり、防食被覆鋼材の防食被覆重なり部の隙間内部の欠陥に対しても適用することができる防食監視用電極及び防食監視方法を提供することを目的とする。
【０００９】
【課題を解決するための手段】
本発明に係る防食監視用電極は、地中に埋設され陰極防食が施されている防食被覆鋼材の防食状況を監視する電極において、
防食被覆鋼材の防食被覆重なり部の隙間の大きさをシミュレートし、電気抵抗値が前記隙間の電気抵抗値と同一になるように穴の径と長さを調整した穴を有する有底筒状部材であって、該有底筒状部材の前記穴の内部に電流の向きと電流密度及び防食電位を測定する回路に接続される電極及び参照電極を配設してなることを特徴とするものである。
【００１０】
また、本発明に係る防食監視方法は、地中に埋設され陰極防食が施されている防食被覆鋼材の防食状況を監視する方法において、
防食被覆鋼材の防食被覆重なり部の隙間の大きさをシミュレートし、電気抵抗値が前記隙間の電気抵抗値と同一になるように穴の径と長さを調整した穴を有する有底筒状部材であって、該有底筒状部材の前記穴の内部に電極及び参照電極を配設した防食監視用電極を前記防食被覆鋼材の近傍に埋設し、
前記電極に通じる電流の向きと電流密度及び前記電極と参照電極との間の電位差を測定することにより、前記防食被覆鋼材の防食状況を監視することを特徴とするものである。
【００１１】
まず第１に、本発明においては、有底筒状部材と、この有底筒状部材に設けた穴の内部に配設され、防食被覆鋼材と同一材質からなる電極と、参照電極とを備えた防食監視用電極を用いることに特徴がある。有底筒状部材の穴は、あらかじめ防食被覆鋼材の防食被覆重なり部の隙間の大きさをシミュレートすることによって、この穴を通して流入・流出する電流の抵抗を調整しておく。従って、この穴は電流の抵抗調整部となっている。
次に、防食電位を測定するための電極と参照電極は、前記穴の内部に配設される。防食監視用電極は、防食被覆鋼材の近傍に埋設し、電極と参照電極間の電位差を測定することによって、防食被覆鋼材の防食電位を測定することができる。このとき、非測定時には電極を防食被覆鋼材に短絡させておき、測定時には前記短絡状態を開放状態にして、開放状態になった瞬間における電極と参照電極との間の電位差を測定すると、さらに高精度で計測できる。
【００１２】
第２に、本発明は、有底筒状部材からなる防食監視用電極を用いることによって、防食被覆の隙間の流入水の水質の変化を推測でき、これによって防食監視を強化するなど、迅速な電気防食対策を講じることができることである。この場合、防食監視用電極は、上向きとなるように設置して、前記穴の内部をあらかじめ防食被覆鋼材の設置場所近傍の地下水あるいは土壌の比抵抗と同等の電解液または電解液をゲル化もしくはゾル化したもの（以下、同等電解液と称する）で満たしておく。
このように同等電解液で穴の内部を満たしておくことによって、防食被覆の隙間の流入水の水質変化を防食電位測定値の変化から知ることができる。
従って、前記同等電解液を穴の内部に十分に満たしておくために、前記有底筒状部材は、前記穴に連通する拡径された第２の穴を有し、その第２の穴の底部またはその近傍に前記電極及び参照電極を配設してなる防食監視用電極とすることが望ましい。
【００１３】
【発明の実施の形態】
図１は本発明の実施の形態に係る防食監視方法の説明図であり、図２〜図４は防食監視用電極の構成を示す図である。
【００１４】
まず、本発明に係る防食監視用電極の構成について説明する。
この防食監視用電極６は、基本的には、図２に示すように有底筒状部材１０に穴１１を設け、その穴１１の底部または近傍に電極６１と参照電極６２を配設したものである。穴１１は、防食被覆重なり部の隙間１６の大きさをシミュレートしたもので、隙間１６の大きさに応じて穴径Ｄ及び穴の長さＬを調整してある。隙間１６の大きさは、防食被覆鋼管の場合、通常０．５〜２０ｍｍ程度であるので、その中から最も頻度の高い隙間の大きさに合わせるよう穴径等が決められる。
【００１５】
有底筒状部材１０は、一般的な絶縁材料であるプラスチック材料（例えばアクリル樹脂）からなっている。また、電極６１は防食被覆鋼材１と同一材質の鋼からなっている。参照電極６２は耐食性の高い材料が好ましい。６３、６４はそれぞれ電極６１及び参照電極６２に接続された接続ケーブルである。
【００１６】
また、この防食監視用電極６は、好ましくは図３に示すように構成されている。図４は図３の断面図である。図１にはこの構成例の防食監視用電極６を示してある。
図３、図４に示す防食監視用電極６の有底筒状部材１０は、図２のものと同様に、穴径Ｄ及び穴の長さＬを調整された第１の穴１１と、この穴１１に連通する拡径された第２の穴１２を有する。電極６１及び参照電極６２は、第２の穴１２を塞ぐ底板１３に取り付けられ、両電極６１、６２間は、例えばエポキシ樹脂で絶縁されている。
そして、第１の穴１１は前述したように防食電流の抵抗調整部を構成し、第２の穴１２は電極室となっており、この電極室１２は同等電解液で満たされるものである。
この防食監視用電極６は、地中の防食被覆鋼材１の近傍位置に、先端の開口部１１ａが鉛直方向の上側となる姿勢で設置される。
【００１７】
防食電流抵抗調整部を構成する第１の穴１１は、その穴径が、防食被覆鋼材の防食被覆重なり部の隙間１６の電気抵抗値と同一の電気抵抗値となるように、隙間をシミュレートした穴径に製作される。
これは古い防食被覆埋設管を掘り出した際に、防食被覆重なり部の隙間を実測し（０．５〜２０ｍｍ程度ある）、この実測値を多数収集したデータに基づき、最も頻度の高い値、最大値、最小値等をあらかじめ求めておく。
そして、第１の穴１１を製作する際に、使用条件や客先仕様等に応じてどの値を採用するかを決定し、この採用した値の隙間をシミュレートした穴径及び長さで製作するようにしている。
【００１８】
防食電流抵抗調整部（すなわち、第１の穴）１１は、先端の開口部１１ａが鉛直方向の上側となる姿勢に設置されるので、土壌と通電可能となるが、地中の砂等がこの開口より入らないように、埋設時には、絶縁材よりなる網や海綿（水分は自由に通過できるように）でカバーや栓をすることが望ましい。
そして電極室を構成する第２の穴１２は同等電解液で満たされる。
【００１９】
電極室すなわち第２の穴１２は、所定容量の同等電解液の充填可能な空間を有する。また、同等電解液の注入がしやすいように電極室１２に横穴の注入口を設けてもよい。
この電極室１２の底部には、互いに電気的に絶縁された電極６１及び参照電極６２が配設され、前記各電極６１、６２にそれぞれ外部接続ケーブル６３、６４が配線されている。電極６３及び参照電極６４の電極形状や配置は特に限定されない。電極形状は方形でもよいし、第２の穴１２の底面近くの内周面に各電極６１、６２を配置してもよい。
【００２０】
防食監視用電極６は、地中に埋設される際には、少なくとも電極室１２に同等電解液を注入し電極６１及び参照電極６２の全体を同等電解液で満たすようにしてから、開口部１１ａを上向きとして、設置する。
同等電解液の注入によって、電極室１２内に配設された電極６１及び参照電極６２の各電極は、同等電解液の電気抵抗を介して、また第１の穴１１を介して地中の土壌と通電状態となるとともに、被覆隙間の流入水の水質変化を検知することが可能となる。
【００２１】
電極６１は、防食被覆鋼材１と同一材質の鋼で製作される。そして設置時に同等電解液の注入される電極室１２内に設けられ、防食被覆鋼材１と同一材質の鋼で製作される電極６１は、設置後に腐食が生じ、時間経過とともに腐食状態が進行する。この電極６１の腐食状態は、実際に地中に埋設され電気防食の施されている防食被覆鋼材１の防食被覆重なり部の隙間１６から水が流入し、内部の鋼に生ずる腐食状態と同一状態となるように（腐食状態をシミュレートするために）生成させるものである。
【００２２】
参照電極６２は、例えば鉛、亜鉛、白金、モリブデン、タングステン等で製作される。なお、この参照電極６２は、図５と同様に、防食電位を計測する際の参照電極として用いられるものであるので、同等電解液の注入される電極室１２に設置されても長期間腐食しない材料で製作される。また参照電極６２を電極６１と共に電極室１２内に配設することにより、この防食監視用電極６の埋設時に、参照電極６２は防食被覆鋼材１の近傍に設置されるから、防食電位計測時に、防食被覆鋼材１への防食電流と土壌抵抗によるＩＲ損を含まない真の電位計測を行うことができる。
【００２３】
次に、図１により、防食電位の測定方法を説明する。
図１において、１は地中に埋設された防食被覆鋼材、２は対極又は犠牲陽極、３は直流電源又は出力調整器であり、２、３は図５で説明した外部電極法又は犠牲陽極法のいずれの電気防食でもよいことを示している。
６は前記のように構成された防食監視用電極、７は常時閉で、動作時に開となるスイッチである。８は電流計、９は電圧計、１６は図７の（ｂ）に示した防食被覆重なり部の隙間である。
【００２４】
通常状態（非測定時）においては、電極６１は、スイッチ７の常時閉回路及び電流計８を介して防食被覆鋼材１に短絡されている。また防食監視用電極６は、防食被覆鋼材１の近傍に設置されている。そして電極６１に通じる電流の向きを測定し、電極６１に電流が流入していれば防食されており、電流が流出していれば腐食が生じており、防食されていないと判定する。また電流密度を測定し、防食電流が有効に流れていることを監視する。また防食電位計測時には、スイッチ７の回路を開として短絡状態を切り、この開放状態になった瞬間（１００ｍｓ以内）における電極６１と参照電極６２との間の電位差を測定し、これを防食被覆鋼材１の防食電位として求めるものである。通常、防食被覆鋼材が軟鋼の場合、電位を銅／硫酸銅電極を基準として−８５０ｍＶ以下に保てば防食電流が流れて腐食を防ぐ。
【００２５】
対極又は犠牲陽極２から防食被覆鋼材１に流れる防食電流は、第１の穴１１からなる防食電流抵抗調整部を通って電極室１２にも流入し、しかも第１の穴１１は、図７（ｂ）のような隙間１６の大きさをシミュレートして防食電流抵抗を調整したものであるので、このような防食被覆重なり部の隙間内部の欠陥であっても、前記のように電流の向きと電流密度及び防食電位を測定することによって、その欠陥の防食状態を正確に監視することができる。
【００２６】
【発明の効果】
以上説明したように、本発明によれば、防食被覆鋼材の防食被覆重なり部の隙間の大きさをシミュレートし、電気抵抗値が前記隙間の電気抵抗値と同一になるように穴の径と長さを調整した穴を有する有底筒状部材であって、該有底筒状部材の穴の内部に配設され、防食被覆鋼材と同一材質からなる電極と、参照電極とを備えた防食監視用電極を用い、この防食監視用電極を防食被覆鋼材の近傍に埋設して、電極に通じる電流の向きと電流密度及び電極と参照電極間の電位差を測定するものであるので、防食被覆重なり部の隙間内部の欠陥に対しても防食電位測定が可能である。
また、前記穴またはこの穴に連通する拡径された第２の穴に同等電解液を入れておくことにより、防食被覆重なり部の隙間内部の欠陥と同様の腐食状態をこの防食監視用電極によって再現でき、その隙間内部の欠陥の腐食状態を地上より検知することが可能である。
【図面の簡単な説明】
【図１】本発明の防食監視方法の説明図である。
【図２】防食監視用電極の一構成例を示す図である。
【図３】防食監視用電極の他の構成例を示す図である。
【図４】図３の断面図である。
【図５】陰極防食の２方式を説明する図である。
【図６】従来の防食電位測定法の説明図である。
【図７】防食被覆鋼材に発生する欠陥の種類を示す説明図である。
【符号の説明】
１  防食被覆鋼材
２  対極又は犠牲陽極
３  直流電源又は出力調整器
４  疑似部材
５  参照電極
６  防食監視用電極
７  スイッチ
８  電流計
９  電圧計
１０  有底筒状部材
１１  第１の穴（防食電流抵抗調整部）
１２  第２の穴（電極室）
１６  防食被覆重なり部の隙間
６１  電極
６２  参照電極
【図１】
0003606080.tif 000002
【図２】
0003606080.tif 000003
【図３】
0003606080.tif 000004
【図４】
0003606080.tif 000005
【図５】
0003606080.tif 000006
【図６】
0003606080.tif 000007
【図７】
0003606080.tif 000008